(57)【要約】【課題】インキローラーの交換作業に伴う作業者の手および貼付機自体の汚れを防止するとともに、インキローラーの取扱いが容易かつ簡便である携帯式ラベル印字貼付機及びインキローラー交換方法を提供することを課題とする。【解決手段】インキローラー取付け部８（取付けベース３２）の先端にインキローラーブラケット３３を着脱可能に保持することに着目したもので、印字器６の印字動作に応じて搖動可能なインキローラー取付け部８（取付けベース３２）と、このインキローラー取付け部８（取付けベース３２）の先端に取り付けられるインキローラー７と、このインキローラー取付け部８（取付けベース３２）から前記インキローラー７を着脱可能とするインキローラー着脱機構３９と、を具備することを特徴とする携帯式ラベル印字貼付機である。【選択図】図６
2013151148.tif 000002
【特許請求の範囲】
【請求項１】
ラベル連続体のラベルに印字器を用いて印字し、このラベルを物品に貼付するための携帯式ラベル印字貼付機であって、
所定量のインキが充填されたインキローラーと、
このインキローラーの表面の少なくとも一部が外部に露出するとともに回転可能に支持するインキローラーブラケットと、
先端に前記インキローラーブラケットを着脱可能に取り付けるとともに、前記印字器の印字動作に応じて搖動可能なインキローラー取付け部と、
前記インキローラー取付け部から前記インキローラーブラケットを着脱可能とするインキローラー着脱機構と、を具備し、
前記インキローラー着脱機構は、外方向へ向かって突出したロック部と、前記ロック部を内方向へ押圧するときに操作される押圧部と、を有することを特徴とする携帯式ラベル印字貼付機。
【請求項２】
ラベル連続体のラベルに印字器を用いて印字し、このラベルを物品に貼付するための携帯式ラベル印字貼付機であって、
所定量のインキが充填されたインキローラーと、
このインキローラーの表面の少なくとも一部が外部に露出するとともに回転可能に支持するインキローラーブラケットと、
先端に前記インキローラーブラケットを着脱可能に取り付けるとともに、前記印字器の印字動作に応じて搖動可能なインキローラー取付け部と、
前記インキローラー取付け部から前記インキローラーブラケットを着脱可能とするインキローラー着脱機構と、を具備し、
前記インキローラー着脱機構は、前記インキローラー取付け部の先端に位置し、前記インキローラー取付け部の先端幅方向の両側面の少なくとも一方に設けられた弾性状の板バネと、この板バネに設けられ前記板バネを内方向へ押圧するときに操作される押圧部と、前記板バネの他端に設けられるとともに外方向へ向かって突出したロック部と、を有することを特徴とする携帯式ラベル印字貼付機。
【請求項３】
前記インキローラーは、少なくとも表面の一部が露出するように前記インキローラーブラケットの内部に支持軸を介して軸支されていること、を特徴とする請求項２記載の携帯式ラベル印字貼付機。
【請求項４】
前記インキローラーブラケットは、前記ロック部が係合する孔が前記インキローラーの幅方向の両側面に形成されていることを特徴とする請求項３記載の携帯式ラベル印字貼付機。
【請求項５】
ラベル連続体のラベルに印字器を用いて印字し、このラベルを物品に貼付するための携帯式ラベル印字貼付機であって、
所定量のインキが充填されたインキローラーと、
このインキローラーの表面の少なくとも一部が外部に露出するとともに回転可能に支持するインキローラーブラケットと、
先端に前記インキローラーブラケットを着脱可能に取り付けるとともに、前記印字器の印字動作に応じて搖動可能なインキローラー取付け部と、
前記インキローラー取付け部から前記インキローラーブラケットを着脱可能とするインキローラー着脱機構と、を具備し、
前記インキローラー着脱機構は、前記インキローラーブラケットの前記インキローラー取付け部に近い側の先端に位置し、前記インキローラーブラケットの先端幅方向の両側面の少なくとも一方に設けられた弾性状の板バネと、この板バネに設けられ前記板バネを内方向へ押圧するときに操作される押圧部と、前記板バネの他端に設けられるとともに外方向へ向かって突出したロック部と、を有することを特徴とする携帯式ラベル印字貼付機。
【請求項６】
前記インキローラーは、少なくとも表面の一部が露出するように前記インキローラーブラケットの内部に支持軸を介して軸支されていること、を特徴とする請求項５記載の携帯式ラベル印字貼付機。
【請求項７】
前記インキローラーブラケットは、前記ロック部が係合する孔が前記インキローラーの幅方向の両側面に形成されていることを特徴とする請求項６記載の携帯式ラベル印字貼付機。
【請求項８】
ラベル連続体のラベルに印字器を用いて印字し、このラベルを物品に貼付するための携帯式ラベル印字貼付機に用いられるインキローラーの交換方法であって、
所定量のインキが充填されたインキローラーと、
このインキローラーの表面の少なくとも一部が外部に露出し、かつ回転可能に支持し、前記インキローラーの幅方向両側面に孔が形成されたインキローラーブラケットと、
先端に前記インキローラーブラケットを着脱可能に取り付けるとともに、前記印字器の印字動作に応じて搖動可能なインキローラー取付け部と、を有し、前記インキローラー取付け部の先端幅方向の両側面の少なくとも一方に設けられる弾性状の板バネと、この板バネの一端に設けられ前記板バネを内方向へ押圧するときに操作される押圧部と、前記板バネの他端に設けられるとともに外方向へ向かって突出したロック部と、を有し、前記ロック部を前記孔へ係合又は解除すこと、を特徴とするインキローラー交換方法。
【発明の詳細な説明】
【技術分野】
【０００１】
本発明は携帯式ラベル印字貼付機および携帯式ラベル印字貼付機に用いられるインキローラー取り付け方法に関するもので、特に印字器に対してインキを供給するためのインキローラーを交換する必要がある携帯式ラベル印字貼付機に用いられるインキローラー着脱機構およびインキローラーの交換方法に関するものである。
【背景技術】
【０００２】
従来の携帯式ラベル印字貼付機は、帯状の台紙（剥離紙）に複数枚のラベルを仮着したラベル連続体を装填し、このラベル連続体を移送し、印字し、台紙からラベルを剥離し、所定の物品に貼り付けるものであるが、印字器によるスタンプ印字のためのインキローラーを必要とし、このインキローラーの交換ないし取付け、取り外し作業が面倒であるという問題がある。
【０００３】
従来のインキローラー交換機構としては、貼付機本体の前方からインキローラーをそのホルダーごと取り外してインキローラーを交換するようなものもあるがインキローラー若しくはそのホルダーを手で直接扱わなければならず、インキによる手などの汚れを気にせずに、その交換作業をすばやく行うことは困難であるという問題があった。
【０００４】
なお、特許文献１のような技術も開発されているが、インキローラーによる手の汚れおよび貼付機自体の汚れを防止することは困難であった。
【先行技術文献】
【特許文献】
【０００５】
【特許文献１】実用新案登録第３００８００３号公報
【発明の概要】
【発明が解決しようとする課題】
【０００６】
本発明は以上のような諸問題にかんがみなされたもので、インキローラー取付け部の先端に、インキローラーを軸支するインキローラーブラケットを、着脱可能に保持することによって、インキローラーの取扱いが容易かつ簡便である携帯式ラベル印字貼付機及びインキローラーの交換方法を提供することを課題とする。
【０００７】
また本発明は、インキローラーの交換作業に伴う作業者の手および貼付機自体の汚れを防止可能な携帯式ラベル印字貼付機、インキローラーの交換方法を提供することを課題とする。
【０００８】
また本発明は、インキローラーのインキによる手や貼付機に対する汚れの付着を気にすることなく、インキローラーの交換作業を確実かつ迅速に実行可能な携帯式ラベル印字貼付機及びインキローラー交換方法を提供することを課題とする。
【課題を解決するための手段】
【０００９】
すなわち本発明は、ラベル連続体のラベルに印字器を用いて印字し、このラベルを物品に貼付するための携帯式ラベル印字貼付機であって、所定量のインキが充填されたインキローラーと、このインキローラーの表面の少なくとも一部が外部に露出するとともに回転可能に支持するインキローラーブラケットと、先端に前記インキローラーブラケットを着脱可能に取り付けるとともに、前記印字器の印字動作に応じて搖動可能なインキローラー取付け部と、前記インキローラー取付け部から前記インキローラーブラケットを着脱可能とするインキローラー着脱機構と、を具備し、前記インキローラー着脱機構は、外方向へ向かって突出したロック部と、前記ロック部を内方向へ押圧するときに操作される押圧部と、を有することを特徴とする携帯式ラベル印字貼付機である。
【００１０】
また、ラベル連続体のラベルに印字器を用いて印字し、このラベルを物品に貼付するための携帯式ラベル印字貼付機であって、所定量のインキが充填されたインキローラーと、このインキローラーの表面の少なくとも一部が外部に露出するとともに回転可能に支持するインキローラーブラケットと、先端に上記インキローラーブラケットを着脱可能に取り付けるとともに、上記印字器の印字動作に応じて搖動可能なインキローラー取付け部と、上記インキローラー取付け部から上記インキローラーブラケットを着脱可能とするインキローラー着脱機構と、を具備し、上記インキローラー着脱機構は、上記インキローラー取付け部の先端に位置し、上記インキローラー取付け部の先端幅方向の両側面に設けられる弾性状の板バネと、この板バネに設けられ上記板バネを内方向へ押圧する押圧部と、上記板バネの他端に設けられるとともに外方向へ向かって突出したロック部と、を有することを特徴とする携帯式ラベル印字貼付機。
また、上記インキローラーは、少なくとも表面の一部が露出するように上記インキローラーブラケットの内部に支持軸を介して軸支されていること、を特徴とする。
また、上記インキローラーブラケットは、上記ロック部が係合する孔が上記インキローラーの幅方向の両側面に形成されていることを特徴とする。
【００１１】
また、ラベル連続体のラベルに印字器を用いて印字し、このラベルを物品に貼付するための携帯式ラベル印字貼付機であって、所定量のインキが充填されたインキローラーと、このインキローラーの表面の少なくとも一部が外部に露出するとともに回転可能に支持するインキローラーブラケットと、先端に前記インキローラーブラケットを着脱可能に取り付けるとともに、前記印字器の印字動作に応じて搖動可能なインキローラー取付け部と、前記インキローラー取付け部から前記インキローラーブラケットを着脱可能とするインキローラー着脱機構と、を具備し、前記インキローラー着脱機構は、前記インキローラーブラケットの前記インキローラー取付け部に近い側の先端に位置し、前記インキローラーブラケットの先端幅方向の両側面の少なくとも一方に設けられた弾性状の板バネと、この板バネに設けられ前記板バネを内方向へ押圧するときに操作される押圧部と、前記板バネの他端に設けられるとともに外方向へ向かって突出したロック部と、を有することを特徴とする携帯式ラベル印字貼付機である。
また、前記インキローラーは、少なくとも表面の一部が露出するように前記インキローラーブラケットの内部に支持軸を介して軸支されていること、を特徴とする。
また、前記インキローラーブラケットは、前記ロック部が係合する孔が前記インキローラーの幅方向の両側面に形成されていることを特徴とする。
【００１２】
また、ラベル連続体のラベルに印字器を用いて印字し、このラベルを物品に貼付するための携帯式ラベル印字貼付機に用いられるインキローラーの交換方法であって、所定量のインキが充填されたインキローラーと、このインキローラーの表面の少なくとも一部が外部に露出し、かつ回転可能に支持し、上記インキローラーの幅方向両側面に孔が形成されたインキローラーブラケットと、先端に上記インキローラーブラケットを着脱可能に取り付けるとともに、上記印字器の印字動作に応じて搖動可能なインキローラー取付け部と、を有し、上記インキローラー取付け部の先端幅方向の両側面に設けられる弾性状の板バネと、この板バネの一端に設けられ上記板バネを内方向へ押圧する押圧部と、上記板バネの他端に設けられるとともに外方向へ向かって突出したロック部と、を有し、上記ロック部を上記孔へ係合又は解除すこと、を特徴とするインキローラー交換方法。
【発明の効果】
【００１３】
上記のように本発明による携帯式ラベル印字貼付機、インキローラーの交換方法においては、インキローラーブラケット又は取付けベースに左右一対の孔を形成し、この孔に取付けベース側又はインキローラーブラケット側の板バネに形成したロック部を係合させることによって、ユーザーが直接インキローラーに触れることなく、携帯式ラベル印字貼付機のインキローラーを交換することが出来るので、ユーザーの手やラベル貼付機本体を汚すことがない。
また、ユーザーは自分の手や携帯式ラベル印字貼付機がインキによって汚れることを注意する必要が無くなるので、インキローラーの交換作業を迅速に行うことが出来る。
【図面の簡単な説明】
【００１４】
【図１】本発明の実施の形態に係る携帯式ラベル印字貼付機１の概略側面図である。
【図２】同上、ローラー取付け部８およびカバー２の斜視図である。
【図３】（Ａ−１）は取付けベース３２の正面図、（Ａ−２）は同側面図であり、（Ｂ−１）はインキローラーブラケット３３の正面図、（Ｂ−２）は同側面図である。
【図４】本発明の実施の形態に係る携帯ラベル貼付機１の概略側面図であり、カバー２が開いた状態を示す図である。
【図５】（Ａ）は取付けベース３２にインキローラーブラケット３３が取り付けられた状態を示す図であり、（Ｂ）は押圧部４１を押圧した場合の板バネ４２を示す図である。
【図６】取付けベース３２からインキローラーブラケット３３が取り外された状態を示す図である。
【図７】第２実施形態の携帯式ラベル印字貼付機のインキローラーブラケット１３３を取付けベース１３２の先端と共に示した図である。
【図８】取付けベース１３２からインキローラーブラケット１３３が取り外された状態を示す概略斜視図である。
【発明を実施するための形態】
【００１５】
次に、本発明の実施の形態による携帯式ラベル印字貼付機およびインキローラー交換方法を図１乃至図６にもとづき説明する。
【００１６】
（第１実施形態）
図１は、携帯式ラベル印字貼付機１の概略側面図であり、携帯式ラベル印字貼付機１は、貼付機前部カバー２と、操作部３と、ラベル保持部４と、ラベル移送部５と、印字器６と、インキローラー７を備えたインキローラーブラケット３３（後述）と、インキローラー取付け部８と、ラベル剥離部９と、ラベル貼付部１０と、を有する。
【００１７】
貼付機前部カバー２は、貼り付けローラー３１の軸心３１Ａ（図１）を中心に回動可能に携帯式ラベル印字貼付機１に取り付けられ、貼付機前部カバー２の一端には、インキローラー取付け部８を揺動可能に取り付けるためのベース支持部材２６を有している。（後述）
【００１８】
操作部３は、たとえばレバー部材としてこれを形成し、作業者が携帯式ラベル印字貼付機１の本体側板と一体形成するグリップ１１とともに握持および握持開放するように操作するもので、レバー軸１２のまわりにこれを回動操作することにより、ラベル移送部５、印字器６およびインキローラー７（インキローラー取付け部８）を稼働させる。
【００１９】
ラベル保持部４は、帯状のラベル連続体１３をロール状にした状態で保持する。
ラベル連続体１３は、帯状の台紙１３Ａに複数枚のラベル１３Ｂを仮着したものである。
【００２０】
ラベル移送部５は、操作部３に連結した連結駆動部１４と、連結駆動部１４により回転駆動する移送ローラー１５と、を有する。
移送ローラー１５がラベル連続体１３（台紙１３Ａ）と係合し、操作部３の操作により移送ローラー１５が間欠回転駆動してラベル保持部４からラベル連続体１３を繰り出して移送する。
【００２１】
印字器６は、操作部３の先端部に形成した左右一対のヨーク１６においてこれを挟持してあって、操作部３の握持操作により、インキローラー７が印字器６のスタンプ用活字１７にインキを供給塗布し、プラテン１８の上を移送されてくるラベル連続体１３（ラベル１３Ｂ）にスタンプ印字する。
【００２２】
インキローラー７は円筒状のスポンジから成り、所定のインキが充填されるとともに、インキローラー取付け部８にインキローラーブラケット３３を介して取り付けられており、印字器６に対してインキを供給塗布する。
【００２３】
ラベル剥離部９は、左右一対の携帯式ラベル印字貼付機１の側板にまたがった転向ピン３０を有し、移送部５の動作にともなってラベル連続体１３のラベル１３Ｂを台紙１３Ａから剥離して、剥離したラベル１３Ｂをラベル貼付部１０の下方に位置させる。
【００２４】
ラベル貼付部１０は、貼付けローラー３１を有し、ラベル剥離部９から剥離されたラベル１３Ｂを所定の物品に貼り付け可能とする。
【００２５】
携帯式ラベル印字貼付機１は、その非操作時には、貼付機前部カバー２が印字貼付機１の左右一対の本体側板（図示せず）と係合し、貼付機前部カバー２が印字器６に近接し、インキローラー７が印字器６のスタンプ用活字１７の下部に位置する閉位置にあり（図１）、ラベル１３Ｂを所定の物品に貼り付けるには、まず、携帯式ラベル印字貼付機１の操作部３およびグリップ１１を一緒に握持して操作部３をレバー軸１２の周りに時計方向に操作すると、印字器６が同じく時計方向にプラテン１８の方向に向かって移動し、インキローラー７がスタンプ用活字１７にインキを塗布し、プラテン１８上のラベル連続体１３（ラベル１３Ｂ）に印字を行う。
【００２６】
次に、操作部３の握持を開放することにより、ラベル移送部５において連結駆動部１４が移送ローラー１５を図１中反時計方向に回転駆動し、ラベル連続体１３を下流側に移送するとともに、ラベル連続体１３の台紙１３Ａのみをラベル剥離部９の転向ピン３０において転向させ、台紙１３Ａからラベル１３Ｂを剥離する。
この状態で、操作者が携帯式ラベル印字貼付機１全体を所定の物品に向かって打ち出すように操作し、ラベル貼付部１０の貼付ローラー３１によりラベル１３Ｂを所定の物品に貼り付けることができる。
【００２７】
図２は、インキローラー取付け部８にインキローラーブラケット３３が取付けられた状態の斜視図である。
インキローラー取付け部８は、取付けベース３２とその先端インキローラー着脱機構３９（図５、図６）と、を有し、インキローラーブラケット３３はインキローラー着脱機構３９によって着脱可能に保持されている。
【００２８】
また、取付けベース３２は、貼付機前部カバー２の一端に設けられたベース支持部材２６に、このベース支持部材２６に設けられた揺動軸２７を中心に揺動可能に支持され、貼付機前部カバー２と取付けベース３２の間に設けるコイルバネ２５により、貼付機前部カバー２が図１に示す位置にあるとき、ローラー取付け部８（取付けベース３２）を印字器６方向（図１中時計方向）に付勢して、取付けベース３２に連結されたインキローラーブラケット３３のインキローラー７を印字器６のスタンプ用活字１７の下方部に位置させるとともに、操作部３の握持操作にともなう印字器６すなわちヨーク１６の下降動作により、印字器６から図１中反時計方向にこれを揺動可能とする。
【００２９】
インキローラー７は、携帯式ラベル印字貼付機１の左右一対の本体側板（図示せず）の間に位置して、インキローラー取付け部８のインキローラーブラケット３３にこれを回転可能かつ着脱可能に取付ける。
インキローラー７は、特に図２に示すように、インキを充填しているスポンジ製のインキローラー７と、このインキローラー７の両端に位置する一対の支持フランジ２０と、この支持フランジ２０から延出する一対の支持軸１９と、を有し、一対の支持軸１９の各々の自由端近傍が、インキローラーブラケット３３の軸受部３５に回転自在かつ着脱可能に軸支され、インキローラー７を取付ける。
【００３０】
インキローラーブラケット３３は上部から下部にかけて筒状に形成され、上部は取付けベース３２側との着脱のため空洞となり、対する下部はインキローラー７の表面の一部が外部へ露出するように同じく空洞となっている。また、インキローラー７をその内部へ支持軸１９によって回転自在かつ着脱可能に取付けるもので、可撓性素材からなる左右一対のアーム２３と、インキローラー７の取付け後幅方向における両側面にはインキローラー着脱機構３９を着脱するための孔４０が左右一対に形成されている。
【００３１】
次にインキローラー着脱機構３９について図３を用いて説明する。
図３（Ａ−１）はインキローラー着脱機構３９を備えた取付けベース３２の正面図であり、同（Ａ−２）は同側面図である。図３（Ｂ−１）はインキローラーブラケット３３の正面図であり、同（Ｂ−２）は同側面図である。
図３（Ａ−１、Ａ−２）に示すように、取付けベース３２の左右対称に設けられたインキローラー着脱機構３９は、取付けベース３２の側面先端から下方向に突出するように板バネ４２を有し、板バネ４２の一端には押圧部４１を設け、他端にはフック状のロック部４３が設けられており、取付けベース３２の側面の押圧部４１の前後近傍には切欠き部４４が上方向に向かって形成されているので、押圧部４１を押圧することによって板バネ４２に設けられたロック部４３が取付けベース３２の内側方向へ弾性運動する。
【００３２】
図３（Ｂ−１、Ｂ−２）に示すように、インキローラー７は外周面支持フランジ２０を介してインキローラーブラケット３３に形成された軸受部３５に支持軸１９が回転可能に軸支されることによって取り付けられている。
また、インキローラーブラケット３３の両側面には後述するロック部４３が係合される孔４０が左右一対に形成されている。
【００３３】
こうした構成の携帯式ラベル印字貼付機１において、携帯式ラベル印字貼付機１のインキローラーブラケット３３の交換作業について以下図４乃至図６を用いて説明する。
【００３４】
図４は、携帯式ラベル印字貼付機１の概略側面図であり、前部カバー２が開いた状態の概略側面図である。
取付けベース３２からインキローラー７を取り外すには、まず、前部カバー２と印字貼付機１の本体側板（図示せず）との係合を解除し、前部カバー２を貼り付けローラー３１の軸心３１Ａを中心に回転させ、前部カバー２が印字器６から離間し、インキローラー７が露出した開位置に移動させる（図４）（カバー部開工程）。
この状態においては未だ、図５（Ａ）に示すように、インキローラー取付け部８において取付けベース３２にインキローラー７すなわちインキローラーブラケット３３が装着されている。したがって、インキローラーブラケット３３に左右対称に形成された孔４０に、取付けベース３２側の板バネ４２に形成されたロック部４３が係合されているので、取付けベース３２にインキローラーブラケット３３が、装着された状態となっている。
【００３５】
ロック部４３が孔４０に係合されている状態から、図５（Ｂ）に示すように、押圧部４１を内方向に押圧することによって、押圧部４１及び連結する板バネ４２が押圧方向（ブラケット内側方向）へ弾性運動する。板バネ４２が弾性運動することによってロック部４３が孔４０から解放され、取付けベース３２からインキローラーブラケット３３が取り外し可能となる。
【００３６】
取付けベース３２とインキローラーブラケット３３との連結が解かれた状態で、図５（Ｂ）に示す矢印方向へ取付けベース３２とインキローラーブラケット３３とを離反する方向へ移動させると、図６に示すようにインキローラーブラケット３３が取り外される。
【００３７】
これにより、ユーザーは取付けベース３２側の押圧部４１を押圧することによって、インキローラー７に直接触れることなくインキローラーブラケット３３ごと取り外しが出来るので手を汚すことなく、極めて容易にかつ確実にインキローラー７を取り外し又は交換することが出来る。
【００３８】
なお、インキローラー７を新たに取付けベース３２へ取付ける際には、上記の手順を遡ればよく、取付け作業においても、取付けベース３２側の押圧部４１を押圧し板バネ４２をインキローラーブラケット３３の上部から下方向へ挿入しつつ押圧を解除することにより、取付けベース３２側（板バネ４２側）のロック部４３が孔４０へ係合することで、取付けベース３２にインキローラーブラケット３３を取り付けることが出来る。
これにより、ユーザーの手を汚すことなくインキローラー７を取付けベース３２に取り付けることが出来る。
【００３９】
（第２実施形態）
第２実施形態は、インキローラー着脱機構１３９がインキローラーブラケット１３３に設けられている他は、第１実施形態と同様な形態をしている。よって、前述した第１実施形態と同様の機能を果たす部分には、末尾に同一の符号を付して、重複する説明を適宜省略する。
図７は、第２実施形態の携帯式ラベル印字貼付機のインキローラーブラケット１３３を取付けベース１３２の先端と共に示した図である。図７（Ａ−１）は、取付けベース１３２の正面図である。図７（Ａ−２）は、取付けベース１３２の側面図である。図７（Ｂ−１）は、インキローラーブラケット１３３の正面図である。図７（Ｂ−２）は、インキローラーブラケット１３３の側面図である。
図８は、取付けベース１３２からインキローラーブラケット１３３が取り外された状態を示す概略斜視図である。
【００４０】
第２実施形態のインキローラーブラケット１３３には、第１実施形態と同様に、インキローラー１０７が取り付けられている。インキローラー１０７は、インキを充填しているスポンジ製のインキローラー１０７と、このインキローラー１０７の両端に位置する一対の支持フランジ１２０と、この支持フランジ１２０から延出する一対の支持軸１１９と、を有している。一対の支持軸１１９の各々の自由端近傍は、インキローラーブラケット１３３の軸受部１３５に回転自在かつ着脱可能に軸支持されている。よって、インキローラー１０７は、インキローラーブラケット１３３に対して回転自在な状態で取り付けられている。
【００４１】
また、インキローラーブラケット１３３は、インキローラー着脱機構１３９を備えている。インキローラー着脱機構１３９は、インキローラーブラケット１３３の取付けベース１３２側に、左右対称に設けられている。インキローラー着脱機構１３９は、押圧部１４１と、板バネ１４２と、ロック部１４３と、切欠き部１４４と、を有している。
【００４２】
押圧部１４１は、板バネ１４２の一端（根元側）に設けられている。押圧部１４１は、ロック部１４３を内方向へ押圧するときに操作される。
【００４３】
板バネ１４２は、インキローラーブラケット１３３の先端幅方向の両側面に設けられた弾性変形可能な板バネである。板バネ１４２は、インキローラーブラケット１３３の側面先端から図中の上方向に突出するように形成されている。
【００４４】
ロック部１４３は、押圧部１４１が設けられている板バネ１４２の一端（根元側）とは反対側である他端（先端側）に設けられている。ロック部１４３は、外方向へ向かって突出して形成されている。このロック部１４３は、後述する孔１４０と係合する。
【００４５】
切欠き部１４４は、インキローラーブラケット１３３の側面の押圧部１４１の前後（図７（Ｂ−２）における左右）近傍に、図中の上方向に向かって開放した形状に形成されている。この切欠き部１４４は、板バネ１４２の腕長さを実質的に長くして、板バネ１４２を撓みやすくする。なお、板バネ１４２の弾性変形が容易な場合には、この切欠き部１４４を省略してもよい。
【００４６】
上述した構成により、インキローラー着脱機構１３９は、押圧部１４１が押圧操作されることによって、板バネ１４２が弾性変形して、ロック部１４３がインキローラーブラケット１３３の内側方向へ移動可能である。
【００４７】
取付けベース１３２の両側面には、インキローラー着脱機構１３９を着脱するための孔１４０が左右一対に形成されている。
【００４８】
携帯式ラベル印字貼付機の使用状態においては、ロック部１４３が孔１４０に係合しており、インキローラーブラケット１３３は、取付けベース１３２に取り付けられている。
取付けベース１３２に対して、インキローラー１０７が取り付けられたインキローラーブラケット１３３を着脱得する方法は、インキローラー着脱機構１３９がインキローラーブラケット１３３側に設けられている点が異なるものの、第１実施形態の場合と同様にして行うことができる。
【００４９】
ここで、第２実施形態では、インキローラー着脱機構１３９がインキローラーブラケット１３３側に設けられていることにより、第１実施形態よりも、より簡単にインキローラーブラケット１３３の着脱を行うことができる。以下、この点を、インキローラーブラケット１３３（３３）の取り外しの場合を例に具体的に説明する。第１実施形態では、一方の手（例えば、右手）を使って、押圧部４１を押圧しながら、他方の手（例えば、左手）を使って、インキローラーブラケット３３を引き抜くという作業が必要であった。これに対して、第２実施形態では、一方の手（例えば、右手）で押圧部１４１を押圧しながら、そのまま、インキローラーブラケット１３３を引き抜くことができる。よって、片手でインキローラーブラケット１３３の取り外しを行える。なお、インキローラーブラケット１３３（３３）を装着する場合についても、第２実施形態では、取り外し作業の場合と同様に、片手で作業を行える。
【００５０】
以上説明したように、第２実施形態によれば、第１実施形態よりもさらに簡単にインキローラー１０７をインキローラーブラケット１３３ごと取り外し、及び、取り付けを行える。この着脱作業において、ユーザーは、インキローラー１０７に直接触れる必要がなく、手を汚すことなく、さらに簡単かつ確実にインキローラー１０７の着脱作業を行うことが出来る。
【００５１】
（変形形態）
以上説明した実施形態に限定されることなく、種々の変形や変更が可能であって、それらも本発明の範囲内である。
【００５２】
各実施形態において、携帯式ラベル印字貼付機は、ラベルを台紙から剥離して、物品に貼り付けるものである例を挙げて説明した。これに限らず、例えば、携帯式ラベル印字貼付機は、台紙のない、台紙なしラベル（ノンセパラベル（登録商標））に印字を行って物品に貼り付ける形態であってもよい。
【００５３】
各実施形態において、両側面に板バネが形成されている例を挙げて説明した。これに限らず、例えば、板バネは、両側面のうちの一方のみに設けられていてもよい。この場合、他方の側面には、インキローラー取付け部とインキローラーブラケットとが係合する係合部を設ければよい。
【００５４】
各実施形態において、インキローラー着脱機構は、ロック部が形成された板バネを利用してロック部を孔に係合させた状態を保つ例を挙げて説明した。これに限らず、例えば、インキローラー着脱機構は、ロック部及び押圧部を有した可動部材と、この可動部材を付勢するコイルバネ等の付勢部材とをさらに有する形態とし、この付勢部材の付勢力によって、ロック部を孔に係合させた状態を保つようにしてもよい。この場合にも、押圧部を押圧操作することにより、インキローラーに直接触れることなく、インキローラーをインキローラーブラケットごと簡単に着脱することが出来る。
【００５５】
なお、各実施形態及び変形形態は、適宜組み合わせて用いることもできるが、詳細な説明は省略する。また、本発明は以上説明した各実施形態によって限定されることはない。
【符号の説明】
【００５６】
１        携帯式ラベル印字貼付機
２        貼付機前部カバー
３        操作部
４        ラベル保持部
５        ラベル移送部
６        印字器
７        インキローラー
８        インキローラー取付け部
９        ラベル剥離部
１０      ラベル貼付け部
１１      ブリップ
１２      レバー軸
１３      ラベル連続体
１３Ａ    台紙
１３Ｂ    ラベル
１４        連結駆動部
１５        移送ローラー
１６        ヨーク
１７        スタンプ用活字
１８        プラテン
１９        支持軸
２０        支持フランジ
２３        アーム
２５        コイルバネ
２６        ベース支持部材
２７        搖動軸
３０        転向ピン
３１        貼付けローラー
３１Ａ      軸心
３２        取付けベース
３３        インキローラーブラケット
３５        軸受部
３９        インキローラー着脱機構
４０        孔
４１        押圧部
４２        板バネ
４３        ロック部
４４        切欠き部
４５        インキローラーブラケット
１０７      インキローラー
１１９      支持軸
１２０      支持フランジ
１３２      取付けベース
１３３      インキローラーブラケット
１３５      軸受部
１３９      インキローラー着脱機構
１４０      孔
１４１      押圧部
１４２      板バネ
１４３      ロック部
１４４      切欠き部
【図１】
2013151148.tif 000003
【図２】
2013151148.tif 000004
【図３】
2013151148.tif 000005
【図４】
2013151148.tif 000006
【図５】
2013151148.tif 000007
【図６】
2013151148.tif 000008
【図７】
2013151148.tif 000009
【図８】
2013151148.tif 000010